(57)【要約】【課題】ハウジング内部における端子を無駄なく配置し、低背化、小型化を図り、一方の端子を簡素化し、他方の端子のばね形成領域に干渉せず、高い絶縁性を得ることを目的とする。【解決手段】ハウジングは、上半部がピン差し込み孔を穿設した円筒部からなり、下半部が内部に前記ピン差し込み孔に連通する可動空隙部を形成した突部からなり、この突部の両側から前記可動空隙部まで前記接触ピンの挿抜方向と略同一方向の端子圧入溝を形成し、これらの端子圧入溝にそれぞれの端子の圧入部を圧入固定する。また、可動空隙部は、ピン差し込み孔より大きく形成し、一方の端子圧入溝を、前記ハウジングの一方の側面から前記可動空隙部内であって、ピン差し込み孔からずらした位置まで形成し、他方の端子圧入溝を、前記ハウジングの他方の側面から前記可動空隙部内であって、前記一方の端子圧入溝の反対側におけるピン差し込み孔からずらした位置まで形成する。【選択図】図１
2011134475.tif 000002
【特許請求の範囲】
【請求項１】
絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングは、上半部がピン差し込み孔を穿設した円筒部からなり、下半部が前記円筒部よりやや突出し、内部に前記ピン差し込み孔に連通する可動空隙部を形成した突部からなり、この突部の両側から前記可動空隙部まで前記接触ピンの挿抜方向と略同一方向の端子圧入溝を形成し、これらの端子圧入溝にそれぞれの端子の圧入部を圧入固定したことを特徴とするスイッチ付き同軸コネクタ。
【請求項２】
ハウジングの内部の可動空隙部は、ピン差し込み孔より大きく形成し、一方の端子圧入溝を、前記ハウジングの一方の側面から前記可動空隙部内であって、ピン差し込み孔からずらした位置まで形成し、他方の端子圧入溝を、前記ハウジングの他方の側面から前記可動空隙部内であって、前記一方の端子圧入溝の反対側におけるピン差し込み孔からずらした位置まで形成したことを特徴とする請求項１記載のスイッチ付き同軸コネクタ。
【請求項３】
一方の端子としてのコモン端子は、一方の端子圧入溝に圧入される圧入部と、この圧入部の途中から上部へ湾曲したばね部と、このばね部から略水平に伸びた押圧部と、この押圧部から伸びて他方の端子としてのノーマルクローズ端子の接触片に接離する接触片を有することを特徴とする請求項２記載のスイッチ付き同軸コネクタ。
【請求項４】
ハウジングの可動空隙部に連通するように、一方の端子圧入溝と略直角に連通し、ばね部と押圧部と接触片が挿入される接触片挿入溝を前記ハウジングの一方の側面から可動空隙部内まで形成したことを特徴とする請求項３記載のスイッチ付き同軸コネクタ。
【請求項５】
絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングは、上半部が中央にピン差し込み孔を穿設した扁平な円筒部からなり、下半部が前記円筒部よりやや突出し、内部に、前記ピン差し込み孔に連通し、このピン差し込み孔より大きな可動空隙部を形成した略４角形の突部からなり、前記ハウジングの一方の側面から前記可動空隙部内であって、ピン差し込み孔からずらした位置まで一方の端子圧入溝を形成し、前記ハウジングの他方の側面から前記可動空隙部内であって、前記一方の端子圧入溝の反対側におけるピン差し込み孔からずらした位置まで他方の端子圧入溝を形成し、一方の端子としてのコモン端子は、一方の端子圧入溝に圧入される圧入部と、この圧入部の途中から上部へ湾曲したばね部と、このばね部から略水平に伸びた押圧部と、この押圧部から伸びて前記他方の端子としてのノーマルクローズ端子の接触片に接離する接触片を有し、前記ハウジングの可動空隙部に連通するように、一方の端子圧入溝と略直角に連通し、ばね部と押圧部と接触片が挿入される接触片挿入溝を前記ハウジングの一方の側面から可動空隙部内まで形成したことを特徴とするスイッチ付き同軸コネクタ。
【発明の詳細な説明】
【技術分野】
【０００１】
本発明は、携帯電話機などの小型の電子機器に内蔵されるコネクタであって、より小型化・低背化を図りつつ安定した特性を得ることのできるスイッチ付き同軸コネクタに関するものである。
【背景技術】
【０００２】
従来のスイッチ付き同軸コネクタ１０は、図５及び図６に示されるものが知られている（特許文献１及び２）。
これらの図において、スイッチ付き同軸コネクタ１０は、直径が２ｍｍ程度と極めて小さなもので、絶縁材からなるハウジング１３と、導電性金属からなるシェル１４とノーマルクローズ端子１５とコモン端子１６とで構成されている。
前記ハウジング１３は、上半分が円筒部１７で、中央にピン差し込み孔１７ａが穿設されている。また、ハウジング１３の下半分に、一方の端子支持突部１８と他方の端子支持突部２０を１８０度間隔で外方に突出させるとともに、これらに直交した２箇所に回り止め突部２２を突出させて一体に形成されている。
前記シェル１４は、上半分が前記円筒部１７に嵌合する円筒部２３で、下半分に前記端子支持突部１８と端子支持突部２０に跨ってグランド端子部２５が一体に形成され、これらグランド端子部２５の間の回り止め係止部２６が前記ハウジング１３の回り止め突部２２に係止される。
【０００３】
前記ノーマルクローズ端子１５は、中央にピン逃げ孔３０を穿設し、外周を接触部２７とし、一端をクランク形に折曲し、クランク状の両側部が圧入支持突片２９となり、中央部が横向きＵ字形の接続端子部２８となっている。また、垂直部分には、コモン端子１６のばね部３２の先端が接触しないように逃げ孔３８が形成されている。
前記コモン端子１６は、接触片３１からばね部３２にかけて横向きＵ字形に折曲し、このばね部３２の先端部が前記コモン端子１６の逃げ孔３８に遊嵌するように突出し、このばね部３２の上端部の先端が前記コモン端子１６の接触部２７の下面に接離する接触片３１を構成し、この接触片３１のやや内側が接触ピン３５の押圧部３９となる。また、前記ばね部３２から外方に連続する両側縁部３３ｂと圧入支持突片３３ａとで固定部３３が形成され、さらに、端部の中央部がＵ字形の接続端子部３４となっている。
【０００４】
以上の構成において、前記ノーマルクローズ端子１５の圧入支持突片２９を、一方の端子支持突部１８における端子圧入部１９に圧入し、また、コモン端子１６の圧入支持突片３３を、他方の端子支持突部２０の端子圧入部２１に圧入する。すると、コモン端子１６のばね部３２の先端がノーマルクローズ端子１５の逃げ孔３８に遊嵌しつつ折り返して組み込まれる。前記シェル１４をハウジング１３の円筒部１７に被せると、回り止め係止部２６が回り止め突部２２の両側部に係合固着される。
【０００５】
このようにして組み立てられたスイッチ付き同軸コネクタ１０は、プリント基板１２の上の配線パターンに、グランド端子部２５、接続端子部２８、接続端子部３４が電気的に接続されると共に機械的に固定される。
スイッチ付き同軸コネクタ１０に、プローブ１１を差し込むと、プローブ１１の接触ピン３５がピン差し込み孔１７ａに差し込まれてコモン端子１６の押圧部３９を鎖線のように押し下げ、コモン端子１６の接触部３１がノーマルクローズ端子１５の接触部２７から離れて接続が解除される。プローブ１１の膨出部３７がシェル１４の係止溝２４に係止された状態でプローブ１１は接続状態が保持される。
【先行技術文献】
【特許文献】
【０００６】
【特許文献１】特開平１１−３０７１８８号公報
【特許文献２】意匠登録第１２３４２１４号公報
【発明の開示】
【発明が解決しようとする課題】
【０００７】
従来のスイッチ付き同軸コネクタ１０は、次のような問題があった。
（１）コモン端子１６のばね部３２が横向きのＵ字形をなしているため、押圧部３９からばね部３２の底部までの距離が長くなり、スイッチ付きコネクタ１０としての背がそれだけ高くなり小型化に支障をきたしている。また、コモン端子１６をハウジング１３に固定するとき、接触ピン３５からコモン端子１６の押圧部３９に加わる外力を水平な固定部３３の縁部３３ｂと圧入支持突片３３ａで保持する必要があるため、ハウジング１３の端子圧入部２１に嵌合して外部応力に対抗するための固定部３３の長さを十分大きく取らなければならず、この固定部３３を小さくして全体の形状を小型化するのは困難であった。
（２）コモン端子１６のばね部３２と接触部３０の距離が近いので、接触ピン３５のストロークを大きくとる必要があり、（１）と同様、小型化に支障をきたしている。また、コモン端子１６の押圧部３９が接触ピン３５で押圧されたとき、図６の鎖線で示すように、先端の接触部３１がノーマルクローズ端子１５の接触部３７から十分に離れるが、基端部のばね部３２側が依然として接触部３７と接近しているので、アイソレーションにやや問題があった。
（３）コモン端子１６のばね部３２の先端がノーマルクローズ端子１５の逃げ孔３８に遊嵌しつつ折り返して組み込まれるので、コモン端子１６のばね部３２の先端とノーマルクローズ端子１５の逃げ孔３８とが接近しており、高い絶縁性が得られない。
（４）ノーマルクローズ端子１５の接触部２７、コモン端子１６の接触部３１、押圧部３９、ばね部３２がプローブ１１の接触ピン３５の挿入方向に直線的に配置されているため、円筒部１７の内部における端子の配置に偏りがあり、小型化に支障をきたしている。
【０００８】
本発明の目的は、接触ピンによる外部応力方向に対し、コモン端子の固定方向を同一にすることにより、モーメントの減少効果が得られ、固定部を小さくし、コモン端子のばね部の形成領域を確保すること、ハウジングの内部における端子を無駄なく配置し、低背化、小型化を図ること、ノーマルクローズ端子を簡素化し、コモン端子のばね形成領域に干渉しないようにするとともに、高い絶縁性を得ること、ノーマルクローズ端子とコモン端子を点対称位置に配置してバランスのとれた配列とすることにある。
【課題を解決するための手段】
【０００９】
本発明による請求項１記載のスイッチ付き同軸コネクタは、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングは、上半部がピン差し込み孔を穿設した円筒部からなり、下半部が前記円筒部よりやや突出し、内部に前記ピン差し込み孔に連通する可動空隙部を形成した突部からなり、この突部の両側から前記可動空隙部まで前記接触ピンの挿抜方向と略同一方向の端子圧入溝を形成し、これらの端子圧入溝にそれぞれの端子の圧入部を圧入固定したことを特徴とする
【００１０】
本発明による請求項２記載のスイッチ付き同軸コネクタは、ハウジングの内部の可動空隙部は、ピン差し込み孔より大きく形成し、一方の端子圧入溝を、前記ハウジングの一方の側面から前記可動空隙部内であって、ピン差し込み孔からずらした位置まで形成し、他方の端子圧入溝を、前記ハウジングの他方の側面から前記可動空隙部内であって、前記一方の端子圧入溝の反対側におけるピン差し込み孔からずらした位置まで形成したことを特徴とする。
【００１１】
本発明による請求項３記載のスイッチ付き同軸コネクタは、一方の端子としてのコモン端子は、一方の端子圧入溝に圧入される圧入部と、この圧入部の途中から上部へ湾曲したばね部と、このばね部から略水平に伸びた押圧部と、この押圧部から伸びて他方の端子としてのノーマルクローズ端子の接触片に接離する接触片を有することを特徴とする。
【００１２】
本発明による請求項４記載のスイッチ付き同軸コネクタは、ハウジングの可動空隙部に連通するように、一方の端子圧入溝と略直角に連通し、ばね部と押圧部と接触片が挿入される接触片挿入溝を前記ハウジングの一方の側面から可動空隙部内まで形成したことを特徴とする。
【００１３】
本発明による請求項５記載のスイッチ付き同軸コネクタは、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングは、上半部が中央にピン差し込み孔を穿設した扁平な円筒部からなり、下半部が前記円筒部よりやや突出し、内部に、前記ピン差し込み孔に連通し、このピン差し込み孔より大きな可動空隙部を形成した略４角形の突部からなり、一方の端子圧入溝を、前記ハウジングの一方の側面から前記可動空隙部内であって、ピン差し込み孔からずらした位置まで形成し、他方の端子圧入溝を、前記ハウジングの他方の側面から前記可動空隙部内であって、前記一方の端子圧入溝の反対側におけるピン差し込み孔からずらした位置まで形成し、一方の端子としてのコモン端子は、一方の端子圧入溝に圧入される圧入部と、この圧入部の途中から上部へ湾曲したばね部と、このばね部から略水平に伸びた押圧部と、この押圧部から伸びて前記他方の端子としてのノーマルクローズ端子の接触片に接離する接触片を有し、前記ハウジングの可動空隙部に連通するように、一方の端子圧入溝と略直角に連通し、ばね部と押圧部と接触片が挿入される接触片挿入溝を前記ハウジングの一方の側面から可動空隙部内まで形成したことを特徴とする。
【発明の効果】
【００１４】
請求項１記載の発明によれば、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングは、上半部がピン差し込み孔を穿設した円筒部からなり、下半部が前記円筒部よりやや突出し、内部に前記ピン差し込み孔に連通する可動空隙部を形成した突部からなり、この突部の両側から前記可動空隙部まで前記接触ピンの挿抜方向と略同一方向の端子圧入溝を形成し、これらの端子圧入溝にそれぞれの端子の圧入部を圧入固定したので、接触ピンによる外部応力方向に対し、コモン端子の固定方向を同一にすることにより、モーメントの減少効果が得られ、固定部を小さくし、コモン端子のばね部の形成領域を確保することができる。また、ハウジングの内部における端子を無駄なく配置し、低背化、小型化を図ることができる。さらに、一方の端子を簡素化し、他方の端子のばね形成領域に干渉しないようにするとともに、高い絶縁性を得ることができる。ちなみに、図５及び図６に示した従来のコネクタに比較して高さで１０％程度、幅で３０％程度小さくして、体積で半分以下に小型化できた。
【００１５】
請求項２記載の発明によれば、ハウジングの内部の可動空隙部は、ピン差し込み孔より大きく形成し、一方の端子圧入溝を、前記ハウジングの一方の側面から前記可動空隙部内であって、ピン差し込み孔からずらした位置まで形成し、他方の端子圧入溝を、前記ハウジングの他方の側面から前記可動空隙部内であって、前記一方の端子圧入溝の反対側におけるピン差し込み孔からずらした位置まで形成したので、他方の端子と一方の端子との接触片以外の部分が確実に分離され、高い絶縁性が得られる。
【００１６】
請求項３記載の発明によれば、一方の端子としてのコモン端子は、一方の端子圧入溝に圧入される圧入部と、この圧入部の途中から上部へ湾曲したばね部と、このばね部から略水平に伸びた押圧部と、この押圧部から伸びて他方の端子としてのノーマルクローズ端子の接触片に接離する接触片を有するので、ばね部の高さを低くでき、スイッチ付きコネクタ全体としての背を低くでき小型化が可能になる。
【００１７】
請求項４記載の発明によれば、ハウジングの可動空隙部に連通するように、一方の端子圧入溝と略直角に連通し、ばね部と押圧部と接触片が挿入される接触片挿入溝を前記ハウジングの一方の側面から可動空隙部内まで形成したので、各端子の組み込み作業性に優れている。
【００１８】
請求項５記載の発明によれば、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングは、上半部が中央にピン差し込み孔を穿設した扁平な円筒部からなり、下半部が前記円筒部よりやや突出し、内部に、前記ピン差し込み孔に連通し、このピン差し込み孔より大きな可動空隙部を形成した略４角形の突部からなり、一方の端子圧入溝を、前記ハウジングの一方の側面から前記可動空隙部内であって、ピン差し込み孔からずらした位置まで形成し、他方の端子圧入溝を、前記ハウジングの他方の側面から前記可動空隙部内であって、前記一方の端子圧入溝の反対側におけるピン差し込み孔からずらした位置まで形成し、一方の端子としてのコモン端子は、一方の端子圧入溝に圧入される圧入部と、この圧入部の途中から上部へ湾曲したばね部と、このばね部から略水平に伸びた押圧部と、この押圧部から伸びて前記他方の端子としてのノーマルクローズ端子の接触片に接離する接触片を有し、前記ハウジングの可動空隙部に連通するように、一方の端子圧入溝と略直角に連通し、ばね部と押圧部と接触片が挿入される接触片挿入溝を前記ハウジングの一方の側面から可動空隙部内まで形成したので、上記のような効果を有するとともに、ノーマルクローズ端子とコモン端子を点対称位置に配置してバランスのとれた配列とすることができる。
【発明を実施するための最良の形態】
【００１９】
本発明のスイッチ付き同軸コネクタは、絶縁材からなるハウジングの内部に導電材からなり互いに接離する少なくとも２個の端子を取り付け、外部にシェルを被せ、接触ピンの挿抜により前記端子間を開閉するスイッチ付き同軸コネクタにおいて、前記ハウジングは、上半部がピン差し込み孔を穿設した円筒部からなり、下半部が前記円筒部よりやや突出し、内部に前記ピン差し込み孔に連通する可動空隙部を形成した突部からなり、この突部の両側から前記可動空隙部まで前記接触ピンの挿抜方向と略同一方向の端子圧入溝を形成し、これらの端子圧入溝にそれぞれの端子の圧入部を圧入固定する。
【００２０】
ハウジングの内部の可動空隙部は、ピン差し込み孔より大きく形成し、一方の端子圧入溝を、前記ハウジングの一方の側面から前記可動空隙部内であって、ピン差し込み孔からずらした位置まで形成し、他方の端子圧入溝を、前記ハウジングの他方の側面から前記可動空隙部内であって、前記一方の端子圧入溝の反対側におけるピン差し込み孔からずらした位置まで形成する。
【００２１】
一方の端子としてのコモン端子は、一方の端子圧入溝に圧入される圧入部と、この圧入部の途中から上部へ湾曲したばね部と、このばね部から略水平に伸びた押圧部と、この押圧部から伸びて他方の端子としてのノーマルクローズ端子の接触片に接離する接触片を有する。
【００２２】
ハウジングの可動空隙部に連通するように、一方の端子圧入溝と略直角に連通し、ばね部と押圧部と接触片が挿入される接触片挿入溝を前記ハウジングの一方の側面から可動空隙部内まで形成する。
【実施例１】
【００２３】
本発明の実施例１を図１ないし図４に基づき説明する。
本発明によるスイッチ付き同軸コネクタ９は、上半分が扁平な円筒形で、上面をすり鉢状となし、下半分が扁平な４角形をなし、全体で可能な限り背が低くなるように構成したプラスチック材料などの絶縁材料からなるハウジング４０と、導電性金属板の絞り加工等によるシェル４１と、さらに、導電性金属板のプレス加工等による少なくとも２個の端子、具体的には、ノーマルクローズ端子４２とコモン端子４３とから構成されている。
【００２４】
前記ハウジング４０は、上半分が背の低い円筒部４４で、上面がすり鉢状凹部６９をなし、下半分が左右にやや突出した端子支持突部４６ａ，４６ｂと前後にやや突出した回り止め突部４７ａ，４７ｂとで背の低い４角形をなしている。前記円筒部４４の中央部を貫通してピン差し込み孔４５が穿設され、このピン差し込み孔４５の下部に連通してピン差し込み孔４５より十分大きな可動空隙部６７が形成され、この可動空隙部６７から側部に貫通して接触片挿入溝５０が形成されている。
前記一方の端子支持突部４６ａには、ノーマルクローズ端子４２を圧入する垂直な端子圧入溝４８が前記稼働空隙部６７まで連通して形成されている。また、前記他方の端子支持突部４６ｂには、コモン端子４３を圧入する垂直な端子圧入溝４９が前記可動空隙部６７に連通して形成され、この端子圧入溝４９の図４の右側には、前記接触片挿入溝５０が連通し、図４の左側の途中まで突部挿入溝４９ａが形成されている。
【００２５】
前記シェル４１は、上半分が前記ハウジング４０の円筒部４４に上から被さるようにハウジング嵌合孔５１が穿設された円筒形をなし、外側全周囲に係止溝５５が形成されている。このシェル４１の下半部には、両側部に外向きにＬ字形に折曲して側壁部７１とグランド端子部５６が形成され、これら側壁部７１には、ハウジング４０の係止部５２に係止する回り止め溝５３が形成されている。前記グランド端子部５６は、前記ハウジング４０に組み立てられた後は、図２及び図４の鎖線で示すようにハウジング４０の下面切欠き部７０側に折曲されて固定とグランド端子として作用する。
【００２６】
前記ノーマルクローズ端子４２は、図４に示すように、前記端子圧入溝４８に圧入される垂直な圧入部５９を有し、この圧入部５９からクランク状に立ち上がった先端の下面がコモン端子４３と接離する接触片５７を構成し、また、圧入部５９の基端下面部が接続端子部５８を構成している。５９ａは、図示しない突部挿入溝に圧入固定される圧入突部である。
前記コモン端子４３は、図４に示すように、前記端子圧入溝４９に圧入される垂直な圧入部６０を有し、この圧入部６０の途中から立ち上げて湾曲してばね部６１を構成し、このばね部６１の先端部の水平部分を押圧部６８とし、この押圧部６８の先端の一部を接触片６２とし、また、圧入部６０の基端部が接続端子部６３を構成している。６０ａは、突部挿入溝４９ａに圧入固定される圧入突部である。
【００２７】
以上のように構成された各部品の組み立てを説明する。
図４に示すように、ハウジング４０の端子圧入溝４８に一方のノーマルクローズ端子４２の圧入部５９を圧入すると、ノーマルクローズ端子４２の接触片５７が可動空隙部６７内に進入し、かつ、接続端子部５８がハウジング４０の下面に臨ませられ、圧入突部５９ａが突部挿入溝に圧入されて固定的に取り付けられる。
ハウジング４０の端子圧入溝４９に他方のコモン端子４３の圧入部６０を圧入すると、図３に示すように、コモン端子４３のばね部６１と押圧部６８と接触片６２が接触片挿入溝５０を通り、可動空隙部６７まで進入し、かつ、押圧部６８がピン差し込み孔４５の下に臨ませられるとともに、接触片６２がノーマルクローズ端子４２の接触片５７に下面から接触し、さらに、接続端子部６３がハウジング４０の下面に臨ませられ、圧入突部６０ａが突部挿入溝４９ａに圧入されて固定的に取り付けられる。
【００２８】
ついでシェル４１のハウジング嵌合孔５１にハウジング４０の円筒部４４を上から嵌合し、シェル４１の回り止め溝５３の側壁にハウジング４０の回り止め突部４７を嵌合する。嵌合後、両側の側壁部７１、７１から突出したグランド端子部５６、５６を内側に折り込むと、グランド端子部５６、５６が端子支持突部４６ａ，４６ｂの下面にそれぞれ折込み係止して固着される。
【００２９】
以上のように組み立てられたスイッチ付き同軸コネクタ９は、接続端子部５８、接続端子部６３、グランド端子部５６をプリント基板のプリント配線パターン部分に載せて半田等で電気的に接続すると共に、機械的に固着する。
図３に示すように、スイッチ付き同軸コネクタ９のピン差し込み孔４５にプローブ１１の接触ピン３５を差し込む。接触ピン３５がピン差し込み孔４５からずれてもすり鉢状凹部６９の範囲内であれば中心に案内されて正しく差し込まれる。接触ピン３５は、ピン差し込み孔４５を経てコモン端子４３の押圧部６８を可動空隙部６７内で垂直方向に押し下げ、これに伴い、コモン端子４３の接触片６２がノーマルクローズ端子４２の接触片５７から離れる。そのため、ノーマルクローズ端子４２は電気的に開放し、コモン端子４３が接触ピン３５と接続する。また、プローブ１１のシェル３６がシェル４１に接触してグランド端子部５６へ接続される。プローブ１１の差し込みにより、シェル３６の膨出部３７がスイッチ付き同軸コネクタ９の係止溝５５に係止する。
【００３０】
プローブ１１をスイッチ付き同軸コネクタ９から引き抜くと、プローブ１１の膨出部３７がスイッチ付き同軸コネクタ９の係止溝５５から外れ、接触ピン３５がピン差し込み孔４５から抜き去られてコモン端子４３の押圧部６８がばね部６１の作用により弾性復帰し、コモン端子４３の接触片６２がノーマルクローズ端子４２の接触片５７に接触して元に戻る。
【００３１】
前記実施例では、ハウジング４０内の端子として、ノーマルクローズ端子４２とコモン端子４３の２個が内蔵されている場合について説明したが、少なくとも２個であればよく、端子の数に限定されない。
また、２個の端子は、ノーマルクローズ端子４２とコモン端子４３に限定される必要はない。
本発明によるスイッチ付き同軸コネクタ９に、測定用プローブ１１を挿抜する場合について説明したが、これに限られるものではなく、２個の端子が接触ピンの挿抜で開閉するものであればよい。
【図面の簡単な説明】
【００３２】
【図１】本発明によるスイッチ付き同軸コネクタ９の実施例１を示す平面図である。
【図２】図１のＡ−Ａ線縦断面図である。
【図３】本発明によるスイッチ付き同軸コネクタ９にプローブ１１を挿入した状態の図１のＢ−Ｂ線縦断面図である。
【図４】本発明によるスイッチ付き同軸コネクタ９の実施例１を示す分解斜視図である。
【図５】従来のスイッチ付き同軸コネクタ１０の分解斜視図である。
【図６】従来のスイッチ付き同軸コネクタ１０にプローブ１１を挿入した状態の縦断面図である。
【符号の説明】
【００３３】
９…本発明によるスイッチ付き同軸コネクタ、１０…従来のスイッチ付き同軸コネクタ、１１…プローブ、１２…プリント基板、１３…ハウジング、１４…シェル、１５…ノーマルクローズ端子、１６…コモン端子、１７…円筒部、１７ａ…ピン差し込み孔、１８…端子支持突部、１９…端子圧入部、２０…端子支持突部、２１…端子圧入部、２２…回り止め突部、２３…円筒部、２４…係止溝、２５…グランド端子部、２６…回り止め係止部、２７…接触部、２８…接続端子部、２９…圧入支持突片、３０…ピン逃げ孔、３１…接触片、３２…ばね部、３３…固定部、３３ａ…圧入支持突片、３３ｂ…縁部、３４…接続端子部、３５…接触ピン、３６…シェル、３７…膨出部、３８…逃げ孔、３９…押圧部、４０…ハウジング、４１…シェル、４２…ノーマルクローズ端子、４３…コモン端子、４４…円筒部、４５…ピン差し込み孔、４６ａ，４６ｂ…端子支持突部、４７ａ，４７ｂ…回り止め突部、４８…端子圧入溝、４９…端子圧入溝、４９ａ…突部挿入溝、５０…接触片挿入溝、５１…ハウジング嵌合孔、５２…係止部、５３…回り止め溝、５５…係止溝、５６…グランド端子部、５７…接触片、５８…接続端子部、５９…圧入部、５９ａ…圧入突部、６０…圧入部、６０ａ…圧入突部、６１…ばね部、６２…接触片、６３…接続端子部、６７…可動空隙部、６８…押圧部、６９…すり鉢状凹部、７０…下面切欠き部、７１…側壁部。
【図１】
2011134475.tif 000003
【図２】
2011134475.tif 000004
【図３】
2011134475.tif 000005
【図４】
2011134475.tif 000006
【図５】
2011134475.tif 000007
【図６】
2011134475.tif 000008